(57)【特許請求の範囲】
【請求項１】
スラットと、スラットハンガーと、ウェイトバーと、第一ストッパーユニットと、二つの第二ストッパーユニットとを含むブラインドのスラット構造であって、
上記スラットの上、下両端にはそれぞれ押さえリブが設けられ、
上記スラットハンガーの側辺には位置限定溝構造が設けられ、底部にスラット溝が設けられ、上記スラット溝は上記位置限定溝構造の下方に位置し、また上記スラット溝は上記スラットの上端の押さえリブの外に取り付けられ、
上記ウェイトバーはＵ字型を呈して組合せ空間があり、また上記組合せ空間によって上記スラットの下端の押さえリブの外に取り付けられ、上記組合せ空間の両側端口はそれぞれ底部に位置限定孔が設けられ、
上記第一ストッパーユニットは組合せブロックと開閉阻止ブロックとを含み、上記組合せブロックの一端は上記位置限定溝構造内に組み入れられ、もう一端には接続部が形成され、上記開閉阻止ブロックは両端を貫通して組合せ溝構造が設けられ、上記組合せ溝構造の外側端にはさらに拡孔溝が設けられ、上記組合せ溝構造と上記拡孔溝との間には階段状の嵌合部が形成され、上記開閉阻止ブロックは上記組合せ溝構造がスライドして位置移動することで、上記組合せブロックの接続部と組合せて制限し、上、下にスライドしてスラット溝の開放と阻止効果を奏し、
二つの第二ストッパーユニットは組合せ外蓋と蓋封じ板とを含み、上記組合せ外蓋の片側には内に向けて包み空間が設けられ、また上記包み空間によって上記ウェイトバーの両側端を貫通し、上記組合せ外蓋のもう片側には貫通溝が設けられて上記包み空間と繋がり、上記蓋封じ板の片側には嵌合凸リブと位置限定凸柱とが設けられ、上記嵌合凸リブの前端底部にはさらに嵌合栓が突設され、上記嵌合凸リブと上記位置限定凸柱とはスライドして上記貫通溝内に組合され、また上記嵌合凸リブは上記包み空間内に貫通され、さらに底部の嵌合栓によって上記ウェイトバーの位置限定孔に嵌合して固定されることで、上記組合せ外蓋が上記ウェイトバーより抜け落ちることを防止することを特徴とするブラインドのスラット構造。
【請求項２】
上記組合せブロックの接続部の前端には前阻止部が形成され、また上記前阻止部から離れる位置に後阻止部が設けられ、さらに上記前阻止部と上記後阻止部との間に位置限定誘導溝が形成され、上記位置限定誘導溝の厚みは上記前阻止部と上記後阻止部との厚みより薄いことで、上記組合せブロックと上記開閉阻止ブロックとを取り付ける時、上記前阻止部が上記組合せ溝構造の嵌合部の外に嵌合され、上記後阻止部は上記開閉阻止ブロックのもう一端の外を当てることで、上記組合せ溝構造が位置限定誘導溝内に制限されることを特徴とする請求項１のブラインドのスラット構造。
【請求項３】
上記開閉阻止ブロックの外壁には滑らかはない粗面部が設けられ、上記開閉阻止ブロックを動かして上下に位置移動しやすいようにすることを特徴とする請求項１のブラインドのスラット構造。
【請求項４】
上記ウェイトバーはＵ字型を呈して、内部に組合せ空間が形成され、外部の両側はそれぞれ当て辺が形成され、上記当て辺の頂端にはすべて上記組合せ空間に向かって位置限定誘導板が内に湾曲して設けられ、上記位置限定誘導板が中央に向かって集中して徐々に傾斜状に形成され、上記位置限定誘導板と上記当て辺との間はすべて緩和空間が形成され、上記当て辺が少し外へ拡張し、また上記位置限定誘導板の末端にはすべて挟み合い部が湾曲して設けられることを特徴とする請求項１のブラインドのスラット構造。
【請求項５】
上記組合せ外蓋の貫通溝は側壁に対称して二つの緊迫凸部が設けられることを特徴とする請求項１のブラインドのスラット構造。
【請求項６】
上記蓋封じ板の嵌合凸リブの前端には徐々に縮小するロック部が形成され、また上記ロック部と上記蓋封じ板との間は位置限定スライド溝が区切られることを特徴とする請求項１のブラインドのスラット構造。
【発明の詳細な説明】
【技術分野】
【０００１】
本発明はブラインド構造に関し、特にブラインドのスラット構造に関する。
【背景技術】
【０００２】
従来のブラインドは、主に平面を呈する複数のスラットがスラットハンガーによってレールに沿って吊り下げられ、各スラットがそれぞれ該レールに沿ってスライドでき、さらに各スラットハンガーに連動されて開けたり、閉めたりする。これによって、該従来のブラインドが開閉する。しかし、従来のブラインドの各スラットと各スラットハンガーの間は面ファスナー（よく知られる名称はマジックテープ(登録商標)）によって組み合わせられる。即ち、各スラットの内側面の頂端部と各スラットハンガーの外側面とにはそれぞれマジックテープ(登録商標)のループ面とフック面を設けることで、両者を組み合わせる。これによって、組み合わせやすい効果を達せるが、マジックテープ(登録商標)の粘着性は使用すればするほど悪くなるため、各スラットは抜け落ちる恐れがある。また、スラットの重さの増加につれて、マジックテープ(登録商標)の粘着性も低減され、該スラットを取り付ける安定性は大幅に下げるため、改善する必要が確実である。
【０００３】
従って、本発明者は長年にわたって関係商品の製造開発と設計をした経験により、上述の目標について、詳しく設計をして慎重に評価した結果、実用性に満ちた本発明を得た。
【発明の概要】
【発明が解決しようとする課題】
【０００４】
本発明が解決しようとする課題は、従来技術に存在する上述の欠点について解決し、ブラインドのスラット構造を提供する。
【課題を解決するための手段】
【０００５】
本発明のブラインドのスラット構造は、スラットと、スラットハンガーと、ウェイトバーと、第一ストッパーユニットと、第二ストッパーユニットとを含む。該スラットの上、下両端にはそれぞれ押さえリブが設けられ、該スラットハンガーの側辺には位置限定溝構造が設けられ、底部にスラット溝が設けられる。該スラット溝は該位置限定溝構造の下方に位置し、また該スラット溝は該スラットの上端の押さえリブの外に取り付けられる。該ウェイトバーはＵ字型を呈して組合せ空間があり、また該組合せ空間によって該スラットの下端の押さえリブの外に取り付けられ、該組合せ空間の両側端口はそれぞれ底部に位置限定孔が設けられる。該第一ストッパーユニットは組合せブロックと開閉阻止ブロックとを含み、該組合せブロックの一端は該位置限定溝構造内に組み入れられる。もう一端には接続部が形成され、該開閉阻止ブロックは両端を貫通して組合せ溝構造が設けられ、該組合せ溝構造の外側端にはさらに拡孔溝が設けられ、該組合せ溝構造と該拡孔溝との間には階段状の嵌合部が形成される。該開閉阻止ブロックは該組合せ溝構造がスライドして位置移動することで、該組合せブロックの接続部と組合せて制限し、上、下にスライドしてスラット溝の開放と阻止効果を奏する。二つの第二ストッパーユニットは組合せ外蓋と蓋封じ板とを含み、該組合せ外蓋の片側には内に向けて包み空間が設けられ、また該包み空間によって該ウェイトバーの両側端を貫通し、該組合せ外蓋のもう片側には貫通溝が設けられて該包み空間と繋がる。該蓋封じ板の片側には嵌合凸リブと位置限定凸柱とが設けられ、該嵌合凸リブの前端底部にはさらに嵌合栓が突設される。該嵌合凸リブと該位置限定凸柱はスライドして該貫通溝内に組合され、また該嵌合凸リブは該包み空間内に貫通され、さらに底部の嵌合栓によって該ウェイトバーの位置限定孔に嵌合して固定されることで、該組合せ外蓋が該ウェイトバーより抜け落ちることを防止する。
【０００６】
該組合せブロックの接続部の前端には前阻止部が形成され、また該前阻止部から離れる位置に後阻止部が設けられ、さらに該前阻止部と該後阻止部との間に位置限定誘導溝が形成される。該位置限定誘導溝の厚みは該前阻止部と該後阻止部との厚みより薄いことで、該組合せブロックと該開閉阻止ブロックとを取り付ける時、該前阻止部が該組合せ溝構造の嵌合部の外に嵌合され、該後阻止部は該開閉阻止ブロックのもう一端の外を当てることで、該組合せ溝構造が位置限定誘導溝内に制限される。
【０００７】
該開閉阻止ブロックの外壁には滑らかはない粗面部が設けられ、該開閉阻止ブロックを動かして上下に位置移動しやすいようにする。
【０００８】
該ウェイトバーはＵ字型を呈して、内部に組合せ空間が形成される。外部の両側はそれぞれ当て辺が形成され、上述当て辺の頂端にはすべて該組合せ空間に向かって位置限定誘導板が内に湾曲して設けられる。上述位置限定誘導板が中央に向かって集中して徐々に傾斜状に形成され、上述位置限定誘導板と上述当て辺との間はすべて緩和空間が形成され、上述当て辺が少し外へ拡張し、また上述位置限定誘導板の末端にはすべて挟み合い部が湾曲して設けられる。
【０００９】
該組合せ外蓋の貫通溝は側壁に対称して二つの緊迫凸部が設けられる。
【００１０】
該蓋封じ板の嵌合凸リブの前端には徐々に縮小するロック部が形成され、また該ロック部と該蓋封じ板との間は位置限定スライド溝が区切られる。
【００１１】
本発明のスラットはそれぞれ上、下端部の押さえリブによって該スラットハンガーと該ウェイトバーとを取り付けられ、また該第一ストッパーユニットと該第二ストッパーユニットをそれぞれ利用して該スラットハンガーとウェイトバーを制限して位置決めすることで、該スラットは該第一、第二ストッパーユニットの上、下の位置移動によって、該スラットハンガーとウェイトバーより簡単に取り外しまたは固定する目的を達せる。該スラットは自分で取り外したり、取り付けたりできることで、消費者がスラットの交換をしやすく、室内の美化とブラインドの使用変化性をもたらし、さらに該スラットの取り付けの安定性を向上し、実用性を増進する。
【図面の簡単な説明】
【００１２】
【図１】図１は、本発明に係るブラインドのスラット構造を示す立体図である。
【図２】図２は、本発明のスラットの上半部分の分解図である。
【図３】図３は、本発明のスラットの下半部分の分解図である。
【図４】図４は、本発明のスラットの上半部分の組合せ状態の断面図である。
【図５】図５は、本発明のスラットの上半部分の組合せ状態の局部断面図である。
【図６】図６は、本発明のスラットの上半部分の組合せ状態のもう一つの角度の断面図である。
【図７】図７は、本発明のスラットの上半部分の離脱状態の局部断面図である。
【図８】図８は、本発明のスラットの上半部分の離脱状態のもう一つの角度の断面図である。
【図９】図９は、本発明のスラットの下半部分の組合せ状態の断面図である。
【図１０】図１０は、本発明のスラットの下半部分の組合せ状態のもう一つの角度の断面図である。
【図１１】図１１は、本発明のスラットの下半部分の離脱状態の断面図である。
【図１２】図１２は、本発明の第二ストッパーユニットをウェイトバーから取り外した断面図である。
【図１３】図１３は、本発明のスラットが実際に応用することを示す図である。
【発明を実施するための形態】
【００１３】
まず、図１から図３を参照されたい。本発明のブラインドのスラット構造は、スラット１０と、スラットハンガー２０と、ウェイトバー３０と、第一ストッパーユニット４０と、第二ストッパーユニット５０とを含む。該スラット１０の上、下両端にはそれぞれ押さえリブ１１が設けられ、該押さえリブ１１の厚みはスラット１０の厚みより厚いである。該スラットハンガー２０の側辺には位置限定溝構造２１が設けられ、底部にスラット溝２２が設けられる。該スラット溝２２は該位置限定溝構造２２の下方に位置し、また該スラット溝２２は該スラット１０の上端の押さえリブ１１の外に取り付けられる。該ウェイトバー３０はＵ字型を呈して組合せ空間３１があり、該スラット１０下端の押さえリブ１１の外に取り付けられる。外部の両側はそれぞれ当て辺３２が形成され、上述当て辺３２の頂端にはすべて該組合せ空間３１に向かって位置限定誘導板３３が内に湾曲して設けられる。上述位置限定誘導板３３が中央に向かって集中して徐々に傾斜状に形成され、上述位置限定誘導板３３と上述当て辺３２との間はすべて緩和空間３４が形成され、上述当て辺３２が少し外へ拡張し、また上述位置限定誘導板３３の末端にはすべて挟み合い部３５が湾曲して設けられる。該組合せ空間３１の両側端口はそれぞれ底部に位置限定孔３６が設けられる。該第一ストッパーユニット４０は組合せブロック４１と開閉阻止ブロック４２とを含み、該組合せブロック４１の一端は該位置限定溝構造２１内に組み入れられる。もう一端には接続部４１１が形成され、該接続部４１１の前端には徐々に縮小する円錐状の前阻止部４１２が形成され、また該前阻止部４１２から離れる位置に後阻止部４１３が設けられ、さらに該前阻止部４１２と該後阻止部４１３との間に位置限定誘導溝４１４が形成される。該位置限定誘導溝４１４の厚みは該前阻止部４１２と該後阻止部４１３との厚みより薄いである。該開閉阻止ブロック４２は両端を貫通して組合せ溝構造４２１が設けられ、該組合せ溝構造４２１の外側端にはさらに拡孔溝４２２が設けられ、該組合せ溝構造４２１と該拡孔溝４２２との間には階段状の嵌合部４２３が形成される。該開閉阻止ブロック４２の外壁には滑らかはない粗面部４２４が設けられ、該開閉阻止ブロック４２を動かして上下に位置移動しやすいようにする。二つの第二ストッパーユニット５０は組合せ外蓋５１と蓋封じ板５２とを含み、該組合せ外蓋５１の片側には内に向けて包み空間５１１が設けられ、また該包み空間５１１によって該ウェイトバー３０の両側端を貫通し、該組合せ外蓋５１のもう片側には貫通溝５１２が設けられて該包み空間５１１と繋がる。該貫通溝５１２は側壁に対称して二つの緊迫凸部５１３が設けられる。該蓋封じ板５２の片側には嵌合凸リブ５２１と位置限定凸柱５２２とが設けられ、該嵌合凸リブ５２１の前端には徐々に縮小するロック部５２３が形成され、また該ロック部５２３と該蓋封じ板５２との間は位置限定スライド溝５２４が区切られ、さらに該ロック部５２３の前端底部に嵌合栓５２５が突設される。
【００１４】
構造の組み立ては引き続き図１、図２、図３を併せて図４から図１２まで参照されたい。該スラットハンガー２０はスラット溝２２によって該スラット１０の上端にある押さえリブ１１の外に取り付けられた後、該第一ストッパーユニット４０を該位置限定溝構造２１に取り付けられる。該第一ストッパーユニット４０の組合せブロック４１は接続部４１１によって該開閉阻止ブロック４２の組合せ溝構造４２１内に穿設され、また該接続部４１１の前阻止部４１２は該組合せ溝構造４２１の嵌合部４２３の外に嵌合され、該後阻止部４１３は該開閉阻止ブロック４２のもう一端の外を当てることで、該組合せ溝構造４２１が位置限定誘導溝４１４内に制限される。該開閉阻止ブロック４２は該組合せ溝構造４２１がスライドして位置移動することで、該組合せブロック４１の接続部４１１と組合せて制限し、該組合せブロック４１のもう一端は該位置限定溝構造２１内に組み入れられ、該開閉阻止ブロック４２の上、下にスライドしてスラット溝２２の開放と阻止効果を達する。該ウェイトバー３０は該スラット１０の下端にある押さえリブ１１の外を貫通して嵌められ、また該押さえリブ１１を該組合せ空間３１と二つの位置限定誘導板３３との間に制限し、さらに二つの第二ストッパーユニット５０を該ウェイトバー３０の両端に取り付ける。該組合せ外蓋５１の包み空間５１１は該ウェイトバー３０の外径サイズにより小さく、また該位置限定誘導板３３と当て辺３２の間は緩和空間３４があり、上述の緩和空間３４によって該ウェイトバー３０の当て辺３２を内に押さえ合わせることで、該組合せ外蓋５１は該ウェイトバー３０の両端に嵌められ、さらに該蓋封じ板５２を嵌合凸リブ５２１と該位置限定凸柱５２２とによってスライドして位置移動して該組合せ外蓋５１の貫通溝５１２内に組設する。該嵌合凸リブ５２１はさらに該包み空間５１１内に貫通することで、該ロック部５２３が該貫通溝５１２を貫通して嵌合固定すると同時、該位置限定スライド溝５２４はスライドして該貫通溝５１２内に制限し、また底部の嵌合栓５２５によって該ウェイトバー３０の位置限定孔３６に嵌合して固定されることで、該組合せ外蓋５１が該ウェイトバー３０より抜け落ちることを防止する。
【００１５】
構造の実際の使用状態は図１３を併せて図４から図１２まで参照されたい。該スラット１０は主にブラインドのスラット構造に応用され、該ブラインドのスラット構造は複数の互いに連動するスラットハンガー２０が設けられ、また上述スラットハンガー２０のスラット溝２２によって該スラット１０を取り付け、さらに該第一ストッパーユニット４０によってスラット１０を制限して位置決めする。該スラットハンガー２０から該スラット１０を取り外したり取り付けたりしたい時、該開閉阻止ブロック４２が該接続部４１１に沿って上へスライドして位置移動し、該スラット溝２２の一端部が開放状態になることで、該スラット１０を引っ張り出したり、スラット溝２２内に組み入れたりできる。最後は該開閉阻止ブロック４２を下へスライドして位置移動することで、該スラット溝２２の一端を止めると、該スラット１０を該スラット溝２２内に取り付けて制限する。次に、該スラット１０の底部はさらに該押さえリブ１１によって該ウェイトバー３０が取り付けられ、また該ウェイトバー３０の両端には該第二ストッパーユニット５０がそれぞれ取り付けられる。該第二ストッパーユニット５０の組合せ外蓋５１はすべて貫通溝５１２によって該蓋封じ板５２が取り付けられ、該蓋封じ板５２が該貫通溝５１２に沿って下へスライドする時、該嵌合凸リブ５２１の嵌合栓５２５は相対的に該ウェイトバー３０の位置限定孔３６に嵌められて固定されることで、該組合せ外蓋５１は該ウェイトバー３０に固定されるため、該組合せ外蓋５１が外れて無くす恐れを防止する。同時に、ウェイトバー３０が該スラット１０にスライドして位置移動したり、抜け落ちったりする状況の発生を防ぎ、ウェイトバー３０の取り付けの安定性を向上し、スラット１０またはウェイトバー３０を交換したい時、該蓋封じ板５２を該貫通溝５１２に沿って上へスライドすると、該嵌合栓５２５を該位置限定孔３６より離れさせることで、該組合せ外蓋５１と該ウェイトバー３０との固定状態を解除でき、該組合せ外蓋５１を該ウェイトバー３０より取り外せる。
【００１６】
上述具体的な実施例の構造によって、以下の効果が得られる。本発明のスラット１０はそれぞれ上、下端部の押さえリブ１１によって該スラットハンガー２０と該ウェイトバー３０とを取り付け、また該第一ストッパーユニット４０と該第二ストッパーユニット５０とをそれぞれ利用して該スラットハンガー２０とウェイトバー３０を制限して位置決めすることで、該スラット１０は該第一、第二ストッパーユニット４０、５０の上、下の位置移動によって、該スラットハンガー２０とウェイトバー３０とより簡単に取り外しまたは固定する目的を達せる。該スラット１０は自分で取り外したり、取り付けたりできることで、消費者がスラット１０の交換をしやすく、室内の美化とブラインドの使用変化性をもたらし、さらに該スラット１０の取り付けの安定性を向上し、実用性を増進する。
【００１７】
以上は、本発明に係る実施例の一部に過ぎないため、本発明の実施範囲を制限するものではない。即ち、本発明の特許請求の範囲内で行われる変化、修飾なども本発明の範囲に属すべきである。
【符号の説明】
【００１８】
１０        スラット
１１        押さえリブ
２０        スラットハンガー
２１        位置限定溝構造
２２        スラット溝
３０        ウェイトバー
３１        組合せ空間
３２        当て辺
３３        位置限定誘導板
３４        緩和空間
３５        挟み合い部
３６        位置限定孔
４０        第一ストッパーユニット
４１        組合せブロック
４１１      接続部
４１２      前阻止部
４１３      後阻止部
４１４      位置限定誘導溝
４２        開閉阻止ブロック
４２１      組合せ溝構造
４２２      拡孔溝
４２３      嵌合部
４２４      粗面部
５０        第二ストッパーユニット
５１        組合せ外蓋
５１１      包み空間
５１２      貫通孔
５１３      緊迫凸部
５２        蓋封じ板
５２１      嵌合凸リブ
５２２      位置限定凸柱
５２３      ロック部
５２４      位置限定スライド溝
５２５      嵌合栓
【要約】      （修正有）【課題】従来のブラインドのスラット構造における欠点を解決し、ブラインドのスラット構造を提供する。【解決手段】スラット１０と、スラットハンガー２０と、ウェイトバー３０と、第一ストッパーユニット４０と、第二ストッパーユニット５０とを含み、スラットはそれぞれ上、下端部の押さえリブによってスラットハンガーとウェイトバーとを取り付け、また第一ストッパーユニットと第二ストッパーユニットとをそれぞれ利用してスラットハンガーとウェイトバーとを制限して位置決めすることで、スラットは第一、第二ストッパーユニットの上、下の位置移動によって、スラットハンガーとウェイトバーとより簡単に取り外しまたは固定する。スラットは自分で取り外したり、取り付けたりできることで、消費者がスラットの交換をしやすく、室内の美化とブラインドの使用変化性をもたらし、さらにスラットの取り付けの安定性を向上し、実用性を増進する。【選択図】図１【図１】
0006910503.tif 000002
【図２】
0006910503.tif 000003
【図３】
0006910503.tif 000004
【図４】
0006910503.tif 000005
【図５】
0006910503.tif 000006
【図６】
0006910503.tif 000007
【図７】
0006910503.tif 000008
【図８】
0006910503.tif 000009
【図９】
0006910503.tif 000010
【図１０】
0006910503.tif 000011
【図１１】
0006910503.tif 000012
【図１２】
0006910503.tif 000013
【図１３】
0006910503.tif 000014